(57)【特許請求の範囲】
【請求項１】
情報端末を有する情報ユニットと、
５Ｖ又は１２Ｖの電源供給が可能な端子を複数有する電源供給・リレーユニットと、
前記情報ユニットと、前記電源供給・リレーユニットとを中継するハブと、
前記電源供給・リレーユニットに接続されたデバイスと、
電源と、を有し、
前記デバイスには、前記電源供給・リレーユニットからの電源供給がなされ、前記情報ユニットからの制御信号に基づいて、前記電源供給・リレーユニットは、前記デバイスへの電源供給をＯＮ／ＯＦＦ制御する
ドア装置。
【請求項２】
２枚のガラスの間に介在している液晶シートが、電源供給のＯＮ／ＯＦＦに対応し、透明／不透明状態を切り替えられる調光ガラスを有するウィンドウユニットと、
前記ウィンドウユニットに接続された電源タップ・リレーユニットと、
を更に有し、
前記電源タップ・リレーユニットは、前記電源に接続されると共に、前記電源供給・リレーユニットに接続され、
前記情報ユニットからの制御信号に基づいて、前記電源タップ・リレーユニットは前記ウィンドウユニットへの電源供給をＯＮ／ＯＦＦ制御する
請求項１に記載のドア装置。
【請求項３】
前記情報ユニット、前記電源供給・リレーユニット、前記ハブ、前記電源は、基材に配設されており、前記基材には、開閉自在のテーブルユニットが配設され、前記デバイス群は、前記テーブルユニットに配置可能である
請求項１に記載のドア装置。
【請求項４】
前記基材の一面に装着される部屋側パネルと、他面に装着される通路側パネルとを更に有し、前記部屋側パネルには、前記テーブルユニットを開閉するための開口部が設けられており、前記通路側パネルには、前記情報ユニットの前記情報端末の表示部が露呈する開口部が設けられている
請求項３に記載のドア装置。
【請求項５】
前記デバイスとは、センサユニット、カメラユニット、照明ユニット、空調ユニットの少なくともいずれかである
請求項１乃至請求項４のいずれか１項に記載のドア装置。
【発明の詳細な説明】
【技術分野】
【０００１】
本発明は、ＩｏＴ（Internet of Things）の中核的な役割を担うドア装置に係り、特に老人ホーム個室やサービス付き高齢者住宅に好適なドア装置に関する。
【背景技術】
【０００２】
今日、高度情報化社会の到来により、家電製品等のモノとモノとがインターネットを介して接続されるＩｏＴ技術が社会に浸透しつつある。ＩｏＴによれば、管理対象機器であるエアコンや照明器具等の家電製品等を、スマートフォンやタブレット端末等の操作端末により、遠隔から操作、管理等することが可能となる。
【０００３】
この家電制御に関わる技術については、例えば、特許文献１では、家屋に設けられている管理対象機器、および管理対象機器とは別体の端末機器とを備え、管理対象機器を制御する家電制御装置が開示されている。同家電制御装置は、信号受信手段、赤外線信号出力手段および信号変換手段を備え、信号受信手段は、端末機器から管理対象機器へ指示される操作信号を受信し、赤外線信号出力手段は、管理対象機器のうちいずれか一つ以上の特定管理対象機器に設けられ、信号変換手段は、信号受信手段で受信した操作信号を、赤外線信号出力手段を経由して特定管理対象機器を除く管理対象機器へ送信するための赤外線信号へ変換する。
【０００４】
一方、上記家電製品がＩｏＴにより相互に繋がる時世の中で、ドアホンも技術的な進化を遂げ、且つ多機能化している。
【０００５】
このようなドアホンに関わる技術については、例えば特許文献２では、建物の玄関扉に設けられる電子錠と、玄関扉の近傍に配置される玄関子機と、建物の内部に配置されるドアホン親機と、建物の外部に持ち出し可能な通信端末とを含むドアホンシステムが開示されている。同システムでは、玄関子機は、玄関扉に人が来た事を検知した時、ドアホン親機に対して来訪通知を送信し、ドアホン親機は、来訪通知を受信した時、通信端末に対して来訪端末通知を送信し、通信端末は、来訪端末通知を受信した時、玄関扉に人が来た事を示す情報を出力し、通信端末において開錠指示操作が行われた時、ドアホン親機に対して開錠端末指示を送信し、施錠指示操作が行われた時、ドアホン親機に対して施錠端末指示を送信し、ドアホン親機は、通信端末が建物の内部に位置しているか否かを判定し、開錠端末指示を受信した時、通信端末が建物の内部に位置していない場合は、通信端末に電子錠の操作拒否通知を送信し、施錠端末指示を受信した時、通信端末が建物の内部に位置しているか否かに依らず前記電子錠を施錠させる。
【先行技術文献】
【特許文献】
【０００６】
【特許文献１】特開２０１４−１５０３３９号公報
【特許文献２】特許第６６０７３６２号公報
【発明の概要】
【発明が解決しようとする課題】
【０００７】
しかしながら、ＩｏＴが浸透する中、ドア自体をその中継装置として位置付け、ドア本来の機能を充実させると共に、ＩｏＴの中核的な役割を担わせることは、先に示した特許文献１、特許文献２には開示されていない。
【０００８】
本発明は、このような課題に鑑みてなされたものであり、その目的とするところは、ドア本来の機能を充実させると共に、ＩｏＴの中継装置として中核的な役割を担うドア装置を提供することにある。
【課題を解決するための手段】
【０００９】
上記課題を解決するために、本発明の第１の態様に係るドア装置は、情報端末を有する情報ユニットと、５Ｖ又は１２Ｖの電源供給が可能な端子を複数有する電源供給・リレーユニットと、前記情報ユニットと、前記電源供給・リレーユニットとを中継するハブと、前記電源供給・リレーユニットに接続されたデバイスと、電源と、を有し、前記デバイスには、前記電源供給・リレーユニットからの電源供給がなされ、前記情報ユニットからの制御信号に基づいて、前記電源供給・リレーユニットは、前記デバイスへの電源供給をＯＮ／ＯＦＦ制御する。
【００１０】
本発明の第２の態様に係るドア装置は、第１の態様において、２枚のガラスの間に介在している液晶シートが、電源供給のＯＮ／ＯＦＦに対応し、透明／不透明状態を切り替えられる調光ガラスを有するウィンドウユニットと、前記ウィンドウユニットに接続された電源タップ・リレーユニットと、を更に有し、前記電源タップ・リレーユニットは、前記電源に接続されると共に、前記電源供給・リレーユニットに接続され、前記情報ユニットからの制御信号に基づいて、前記電源タップ・リレーユニットは前記ウィンドウユニットへの電源供給をＯＮ／ＯＦＦ制御する。
【００１１】
本発明の第３の態様に係るドア装置は、第１の態様において、前記情報ユニット、前記電源供給・リレーユニット、前記ハブ、前記電源は、基材に配設されており、前記基材には、開閉自在のテーブルユニットが配設され、前記デバイス群は、前記テーブルユニットに配置可能である。
【００１２】
本発明の第４の態様に係るドア装置は、第３の態様において、前記基材の一面に装着される部屋側パネルと、他面に装着される通路側パネルとを更に有し、前記部屋側パネルには、前記テーブルユニットを開閉するための開口部が設けられており、前記通路側パネルには、前記情報ユニットの前記情報端末の表示部が露呈する開口部が設けられている。
【００１３】
本発明の第５の態様に係るドア装置は、第１乃至第４の態様において、前記デバイスとは、センサユニット、カメラユニット、照明ユニット、空調ユニットの少なくともいずれかである。
【発明の効果】
【００１４】
本発明によれば、ドア本来の機能を充実させると共に、ＩｏＴの中継装置として中核的な役割を担うドア装置を提供することができる。
【図面の簡単な説明】
【００１５】
【図１】本発明の一実施形態に係るドア装置の主要部の構成を示す図である。
【図２】同ドア装置の外観図である。
【図３】ウィンドウユニットの構成を示す図である。
【図４】ウィンドウユニットの構成図である。
【図５】端末ユニットの構成図である。
【図６】同ドア装置の制御系のブロック図である。
【発明を実施するための形態】
【００１６】
以下、図面を参照しつつ本発明の実施形態について説明する。
【００１７】
図１（ａ）には、本発明の一実施形態に係るドア装置の主要部の構成を示し説明する。
【００１８】
同図に示されるように、木材等で構成された基材２には、開口部２Ａ、２Ｂ、２Ｃ、２Ｄ、２Ｅ、２Ｆ、２Ｇが設けられている。開口部２Ｂの内周底面２ｂには、情報端末３Ａを内包した情報ユニット３と、瞬間調光ガラスを内蔵したウィンドウユニット４とが配置されている。開口部２Ｃの内周底面２ｃには、電源供給・リレーユニット５と、電源タップ６と、ＵＳＢハブ７と、電源タップ・リレーユニット８が配置されている。開口部２Ｄの内周底面２ｄには、開閉自在のテーブルユニット１０が配設されている。このテーブルユニット１０の上には、任意部品である無線センサの受信ドングルやＵＳＢカメラ等のデバイス群９を配設することができる。開口部２Ｆは、後述する部屋側パネル１１、通路側パネル１３の通気口に相当する位置に設けられている。
【００１９】
このように、本実施形態に係るドア装置１は、基材２と、情報ユニット３と、ウィンドウユニット４と、電源供給・リレーユニット５と、電源タップ６と、ＵＳＢハブ７と、電源タップ・リレーユニット８と、デバイス群９と、テーブルユニット１０と、部屋側パネル１１と、通路側パネル１３とで構成されている。
【００２０】
情報ユニット３は、ＵＳＢハブ７を介して、電源供給・リレーユニット５に接続されており、ＵＳＢハブ７は、電源タップ６に接続されている。従って、情報ユニット３は、ＵＳＢハブ７を介して電源供給を受けると共に、ＵＳＢハブ７を介して、電源供給・リレーユニット５に制御信号を送出する。
【００２１】
ウィンドウユニット４は、電源プラグが電源タップ・リレーユニット８に接続されており、電源タップ・リレーユニット８は、電源タップ６に接続されると共に、電源供給・リレーユニット５に接続されている。従って、ウィンドウユニット４は、電源タップ・リレーユニット８を介して電源供給を受けると共に、電源供給・リレーユニット５により電源がＯＮ／ＯＦＦ制御される。
【００２２】
ここで、ウィンドウユニット４に内蔵されているＵＭＵガラスは、２枚のガラスの間に介在している液晶シートが、電源供給のＯＮ／ＯＦＦに対応し、透明／不透明状態を切り替えられる調光ガラスである。電源供給・リレーユニット５からの電源供給がＯＦＦされると不透明になり、電源供給がＯＮのときは透明になる。
【００２３】
電源供給・リレーユニット５は、この例では、１０個の各端子からの５又は１２Ｖの直流を、デバイス群９に供給することができ、情報ユニット３からの制御信号により、各端子からの電源供給をＯＮ／ＯＦＦ制御することができる。また、デバイス群９からのセンサ信号等を受け、それを情報ユニット３に送出することができる。情報ユニット３からの制御信号をデバイス群９に送出することもできる。
【００２４】
このような構成により、情報ユニット３からの制御信号に基づいて、テーブルユニット１０の上に配置されたデバイス群９を制御することが可能となる。
【００２５】
例えば、デバイス群９として、温度センサ、湿度センサ、人感センサ等のセンサユニットを電源供給・リレーユニット５に接続した場合には、それらセンサからのデータが無線通信等により情報端末３Ａへと送信され、当該情報端末３Ａにおいて温度、湿度、人の存在等を検知し、温度、湿度、人の存在等に基づいてエアコン等の家電製品をＩｏＴ環境の下制御することができる。
【００２６】
デバイス群９として、ＵＳＢカメラを電源供給・リレーユニット５、ＵＳＢハブ７に接続した場合には当該ＵＳＢカメラからの画像データが、ＵＳＢハブ７を介して情報端末３Ａに送出され、当該情報端末３Ａにて画像データを遠隔の管理端末に送信し、当該遠隔の管理端末により画像確認による見守り等を実現することができる。
【００２７】
このほか、デバイス群９として、ＬＥＤライト等の照明ユニット、ＵＳＢファン等の空調ユニット、ポンプ、ターンテーブル等を電源供給・リレーユニット５に接続した場合には、情報端末３Ａにより、それらデバイス群９のＯＮ／ＯＦＦ制御を行うことも可能となる。また、電源供給・リレーユニット５に別の電源タップ・リレーユニット８を接続すれば、扇風機や加湿器等、交流１００Ｖで駆動される機器を接続し、そのＯＮ／ＯＦＦを制御できるようになる。つまり、本ドア装置は、拡張性が極めて高いといえる。
【００２８】
図１（ｂ）には、テーブルユニット１０の開閉状態を示し説明する。
【００２９】
同図に示されるように、テーブルユニット１０は、平板１０ａがヒンジ１０ｂにより基材２の開口部２Ｄの内周底面２ｄに固定されており、図示のように、平板１０ａを、ヒンジ１０ｂを中心に回転させることで開閉することができる。
【００３０】
図２（ａ）、図２（ｂ）には、部屋側パネルと通路側パネルとを、各ユニットを配設した基材２に取り付けた様子を示し、説明する。
【００３１】
図２（ａ）に示されるように、部屋側パネル１１は、ウィンドウユニット４のＵＭＵガラスを介して、部屋の内外が見えるようになっている。さらに、情報ユニット３の配設位置の前面にはアセンブリカバー１１Ａが設けられ、電源供給・リレーユニット５の前面にはアセンブリカバー１１Ｂが設けられ、電源タップ６の前面にはアセンブリカバー１１Ｃが設けられている。これらアセンブリカバー１１Ａ乃至１１Ｃは、部屋側パネル１１にネジ止めされており、ネジを緩めることで脱着可能となっている。このほか、テーブルユニット１０様の開口部１１Ｄが形成されており、当該開口部１１Ｄの下方には、部屋の内外の通気用の通気孔１１Ｅが設けられている。
【００３２】
図２（ｂ）に示されるように、通路側パネル１３は、ウィンドウユニット４のＵＭＵガラスを介して、部屋の中が見えるようになっている。更に、情報ユニット３の情報端末３Ａの表示部の画面が見えるようになっている。このほか、下方に部屋の内外の通気用の通気孔１３Ｅも設けられている。
【００３３】
図３、図４には、ウィンドウユニット４の構成を示し説明する。
【００３４】
これらの図に示されるように、ＵＭＵガラス部４ｃを枠体４Ｂ，４Ｄで挟持した状態でこれらが一体となり、筐体４Ａに固定される。ＵＭＵガラス部４ｃの電源コードは、筐体４Ａの切欠き部より導出される。
【００３５】
図５には、情報ユニット３の構成を示し説明する。
【００３６】
同図に示されるように、情報ユニット３は、基台３Ｃの上に配設された開閉式の筐体３Ｂの中に情報端末３Ａを収容する構成となっている。筐体３Ｂは大きく開口面を有しているので、収容された情報端末３Ａの表示部は、露呈される。
【００３７】
図６には、本発明の実施形態に係るドア装置の制御系の構成を示し説明する。
【００３８】
同図に示されるように、情報端末３Ａは、ＵＳＢハブ７を介して、電源供給・リレーユニット５に接続されている。電源供給・リレーユニット５は、電源タップ・リレーユニット８、デバイス群９に接続されている。電源タップ・リレーユニット８にはウィンドウユニット４が接続されている。電源タップ・リレーユニット８、電源供給・リレーユニット５、ＵＳＢハブ７には、電源タップ６を介して電源が供給されている。電源供給・リレーユニット５は、この例では、１０の５Ｖ又は１２Ｖの電源を供給する端子を有し、デバイス群９は、当該端子に接続され、ＯＮ／ＯＦＦ制御や、信号の送受信が行われる。
【００３９】
情報端末３Ａは、制御部２１を有し、制御部２１は、通信部２２、操作部２３、表示部２４、入出力インタフェース（Ｉ／Ｆ）２５、及び記憶部２６とバスライン２７を介して接続されている。通信部２２は、インターネット等の通信網を介して、無線又は有線で外部機器との通信を実施する通信Ｉ／Ｆである。操作部２３は、各種操作入力を受け付けるもので、表示部２４と一体となり、タッチパネルとして構成することもできる。入出力Ｉ／Ｆ２５は、外部との入出力のためのインタフェースである。記憶部２６は、各種データを記憶すると共に、制御部２１で実行するプログラム、例えば情報部品実行プログラム２６ａを予め記憶している。
【００４０】
制御部２１は、ＯＳの実行により、送信部２１ａ、受信部２１ｂ、表示制御部２１ｄとして機能すると共に、情報部品実行プログラム２６ａを実行することで、情報部品実行部２１ｃとして機能する。送信部２１ａは、取得した画像データ等の各種データを、通信部２２を介して外部装置に送信する。受信部２１ｂは、外部装置からの操作指示等を、通信部２２を介して受信する。表示制御部２１ｄは、表示部２４による表示を制御する。
【００４１】
情報部品実行部２１ｃは、スクリプトからなる複数の情報部品が同期して、神経系アルゴリズムに基づく動作を実行する。各情報部品では、そのスクリプトにおいて、動作実行の契機となるトリガ情報を定義している。外部のアプリケーションプログラム等から、スクリプトで定義されたトリガ情報と同一のトリガ情報を受けると、それが契機となって対応する情報部品のスクリプトの対応箇所から解釈実行され、他の情報部品、或いは他のアプリケーションプログラム等に対して、指令が送られる。このとき、情報部品同士の同期がとられながら、複数の情報部品が協働して、アプリケーションプログラムや外部機器等の動作を制御することができる。このように、１つのトリガ情報の入力が契機となり、情報部品の間でもトリガ情報のやりとりがなされ、複数の情報部品が協働して外部のアプリケーションプログラムや外部機器等の動作制御を行うことから、その処理手順を、「神経系アルゴリズム」と定義している。この情報部品実行部２１ｃの機能については、本願と同一の出願人、発明者による特許第６４９０７８０号に記載されており、同技術を採用することが可能であるので、詳細な説明は省略する。
【００４２】
このような構成において、情報端末３Ａには、ＵＳＢハブ７を介して、電源タップ６からの電源が供給される。デバイス群９には、電源供給・リレーユニット５より５Ｖ又は１２Ｖの電源供給がなされる。情報端末３Ａは、情報部品実行部２１ｃが、電源供給・リレーユニット５に接続されたデバイス群９のＯＮ／ＯＦＦ制御を行う。例えば、デバイス群９がＬＥＤランプ等の照明器具である場合には、予め定められたタイムテーブルに従って当該照明器具のＯＮ／ＯＦＦを制御することもできる。
【００４３】
ＵＭＵガラスを実装したウィンドウユニット４には、電源タップ・リレーユニット８を介して、電源タップ６からの電源が供給されるが、情報端末３Ａは、電源供給・リレーユニット５に制御信号を送ることで、電源タップ・リレーユニット８を制御し、ウィンドウユニット４への電源供給のＯＮ／ＯＦＦを制御する。
【００４４】
デバイス群９が、温度センサ、湿度センサ、人感センサ等のセンサユニットである場合には、これらセンサからのセンサデータが、無線通信により情報端末３Ａに送られる。情報端末３Ａでは、情報部品実行部２１ｃが、これらセンサデータに基づいて、部屋の温度や湿度、人存在等を検知し、通信部２２を介して、制御データを送出し、ネットワーク環境下で接続されているエアコン等の家電製品を制御する。このとき、デバイス群９に、別の電源タップ・リレーユニットを介して扇風機や加湿器等が接続されている場合には、検知した温度、湿度等に基づいて、扇風機や加湿器等への電源供給のＯＮ／ＯＦＦを制御するようにしてもよい。
【００４５】
デバイス群９が、カメラである場合には、カメラからの画像データが、ＵＳＢハブ７を介して、情報端末３Ａに送られる。情報端末３Ａでは、情報部品実行部２１ｃが、画像データを処理し、送信部２１ａが、通信部２２を介して、インターネット等の通信網を介して接続されている外部機器に送信する。これにより、外部機器では、遠隔から部屋の中の画像を確認することができるので、高齢者の見守り等が実現される。
【００４６】
また、電源供給・リレーユニット５に、別の電源タップ・リレーユニット８を接続すれば、扇風機や加湿器等、交流１００Ｖで駆動される機器を接続し、そのＯＮ／ＯＦＦを制御できるようになる。つまり、本ドア装置は、拡張性が極めて高いといえる。
【００４７】
以上説明したように、本発明の実施形態によれば、以下の効果が奏される。
【００４８】
情報端末３Ａを有する情報ユニット３と、５Ｖ又は１２Ｖの電源供給が可能な端子を複数有する電源供給・リレーユニット５と、情報ユニットと、電源供給・リレーユニットとを中継するＵＳＢハブ７と、電源供給・リレーユニットに接続されたデバイス群９と、電源タップ６とを有し、デバイス群には、電源供給・リレーユニットからの電源供給がなされ、情報ユニットからの制御信号に基づいて、電源供給・リレーユニットは、デバイスへの電源供給をＯＮ／ＯＦＦ制御するドア装置が提供される。したがって、接続されたデバイスやＩｏＴ環境下で接続された家電製品等のＯＮ／ＯＦＦを制御することができるインテリジェンスなドアが実現される。
【００４９】
ここで、２枚のガラスの間に介在している液晶シートが電源供給のＯＮ／ＯＦＦに対応し透明／不透明状態を切り替えられる調光ガラスを有するウィンドウユニット４と、ウィンドウユニットに接続された電源タップ・リレーユニット８とを更に有し、電源タップ・リレーユニットは、電源に接続されると共に、電源供給・リレーユニットに接続され、情報ユニットからの制御信号に基づいて、電源タップ・リレーユニットはウィンドウユニットへの電源供給をＯＮ／ＯＦＦ制御してよい。従って、必要に応じて透明／不透明を切り替えることで、部屋の内部を目視で確認したい場合にのみウィンドウユニット４をＯＮするといった制御を簡易に実施することが可能となるので、部屋の居住者の見守り等に好適であるといえる。
【００５０】
さらに、情報ユニット３、電源供給・リレーユニット５、ＵＳＢハブ７、及び電源タップ６は、基材２に配設されており、基材には、開閉自在のテーブルユニット１０が配設され、デバイス群９は、テーブルユニットに配置可能である。従って、必要に応じて、各種のデバイス群を選択し、テーブルユニットに載置することで、使用環境を簡易に整えることが可能となる。
【００５１】
そして、基材２の一面に装着される部屋側パネル１１と、他面に装着される通路側パネル１３とを更に有し、部屋側パネルには、テーブルユニット１０を開閉するための開口部が設けられており、通路側パネルには、情報ユニットの情報端末の表示部が露呈する開口部が設けられていてよい。従って、部屋の外部より、つまり通路側より、情報端末の操作をすることが可能となるので、老人ホーム等での使用に好適である。
【００５２】
さらに、デバイス群９とは、センサユニット（温度センサ、湿度センサ、人感センサを含む）、カメラユニット、ＬＥＤライト等の照明器具、ＵＳＢファン等の空調ユニット、の少なくともいずれかであってよい。従って、本ドア装置は、拡張性が高い。
【００５３】
以上、本発明の実施形態について説明したが、本発明はこれに限定されることなく、その趣旨を逸脱しない範囲で種々の改良・変更が可能であることは勿論である。
【００５４】
例えば、デバイス群として、電源供給・リレーユニットに接続されるものは、前述したものには限定されず、各種のものを接続することが可能である。また、本発明のドア装置は、既設の部屋のドアに、後付けで設置することも可能であることは勿論である。
【符号の説明】
【００５５】
１…ドア装置
２…基材
３…情報ユニット
４…ウィンドウユニット
５…電源供給・リレーユニット
６…電源タップ
７…ＵＳＢハブ
８…電源タップ・リレーユニット
９…デバイス群
１０…テーブルユニット
【要約】
【課題】ドア本来の機能を充実させると共に、ＩｏＴの中継装置として中核的な役割を担うドア装置を提供する。
【解決手段】本発明は、情報端末３Ａを有する情報ユニット３と、５Ｖ又は１２Ｖの電源供給が可能な端子を複数有する電源供給・リレーユニット５と、情報ユニットと、電源供給・リレーユニットとを中継するＵＳＢハブ７と、電源供給・リレーユニットに接続されたデバイス群９と、電源タップ６とを有し、デバイスには、電源供給・リレーユニットからの電源供給がなされ、情報ユニットからの制御信号に基づいて、電源供給・リレーユニットは、デバイスへの電源供給をＯＮ／ＯＦＦ制御するドア装置１である。
【選択図】図１【図１】
0006688524.tif 000002
【図２】
0006688524.tif 000003
【図３】
0006688524.tif 000004
【図４】
0006688524.tif 000005
【図５】
0006688524.tif 000006
【図６】
0006688524.tif 000007